(57)【要約】【課題】廃棄する際に有害物質を含む発光素子や受光素子を検出器本体から取り出して、分別廃棄や素子の再利用する。【解決手段】  発光部および受光部のみを検出器本体２１ａから取り外し可能な構造としている。このため、受発光部素子１と検出器本体とが切り離される切断部分にバンテージ材料やプラスチック材料などの切断が容易な材料を用いて、切断部分２ａに切り込みや穴などを設ける。その切り込みや穴に沿った切断ラインを折ったり引き裂くことにより、発光部や受光部とその周辺部の検出器本体２１ａを容易に切り離すことができる。さらに、フレキシブル基板２やプリント基板１２に切り込みや穴を設けて、切り込みや穴に沿って裂いたり、折ったりすることにより、受光部および発光部と配線との接続を容易に切断する。【選択図】  図２
2007195816.tif 000002
【特許請求の範囲】
【請求項１】
生体に対して光を照射する発光部と、該生体において透過または反射した光を電気信号に変換する受光部と、該受光部からの信号を検出する信号検出部とを有し、該生体に貼り付けられて使用される使い捨て型の光検出器において、
該信号検出部が設けられた検出器本体部から該発光部および該受光部を取り外し可能な取り外し構造を有している使い捨て型の光検出器。
【請求項２】
前記取り外し構造として、前記発光部および前記受光部を収容する周辺部材が、該発光部および該受光部と前記検出器本体部とを切り離すべく、金属材料に比べて切断容易な材料からなっている請求項１に記載の使い捨て型の光検出器。
【請求項３】
前記周辺部材がバンテージ材料またはプラスチック材料からなっている請求項２に記載の使い捨て型の光検出器。
【請求項４】
前記取り外し構造として、前記発光部および前記受光部を収容する周辺部材において、該発光部および該受光部と前記検出器本体部間に、切断用切り込み部および切断用穴の少なくとも一方が設けられている請求項１または２に記載の使い捨て型の光検出器。
【請求項５】
前記発光部および前記受光部と前記検出器本体部間は、該検出器本体から取り外される該発光部および該受光部を含む部分に比べて幅狭に構成されている請求項４に記載の使い捨て型の光検出器。
【請求項６】
前記発光部に発光用電流を供給する配線および前記受光部からの信号を前記信号検出部に伝える配線がフレキシブル基板またはプリント基板に形成されている請求項１または２に記載の使い捨て型の光検出器。
【請求項７】
前記発光部と、前記受光部と、前記フレキシブル基板または前記プリント基板とが、生体に貼り付け可能とする粘着層と外部層とによって内包されている請求項６に記載の使い捨て型の光検出器。
【請求項８】
前記外部層に、前記発光部および前記受光部を前記検出器本体から切り離す際に、該外部層の引き上げ動作用のつまみ部が突出して設けられている請求項７に記載の使い捨て型の光検出器。
【請求項９】
前記発光部および前記受光部が前記検出器本体から取り外される部分では、前記粘着層は、前記発光部、前記受光部および前記フレキシブル基板または前記プリント基板に接着されていない請求項７に記載の使い捨て型の光検出器。
【請求項１０】
前記発光部および前記受光部の各電極と前記配線とが接続部を介して接続されている請求項６に記載の使い捨て型の光検出器。
【請求項１１】
前記接続部は、前記検出器本体から取り外される前記発光部および前記受光部側に設けられている請求項１０に記載の使い捨て型の光検出器。
【請求項１２】
前記取り外し構造として、前記フレキシブル基板またはプリント基板に、切断用切り込み部および切断用穴の少なくとも一方が設けられている請求項６に記載の使い捨て型の光検出器。
【請求項１３】
前記発光部および前記受光部はフォトインタラプタにより構成されている請求項１に記載の使い捨て型の光検出器。
【請求項１４】
請求項１〜１３のいずれかに記載の使い捨て型の光検出器を用いて脈拍測定および血液の酸素飽和度測定の少なくともいずれかを行う非侵襲型光学的生体センサ。
【発明の詳細な説明】
【技術分野】
【０００１】
本発明は、身体（生体）に貼り付けられて使用される使い捨て型の光検出器および、これを用いて例えば脈拍測定や血液の酸素飽和度測定などを行う非侵襲型光学的生体センサに関する。
【背景技術】
【０００２】
この種の従来の光検出器としての非侵襲型光学的生体センサは、発光部から出射された光を生体に照射し、生体において透過または反射した光を受光部で検出して電気信号に変換する構造になっている。
【０００３】
この非侵襲型光学的生体センサの応用例としては、例えば脈拍測定器や酸素飽和度測定器などが挙げられる。
【０００４】
血液中のヘモグロビンのうち、酸化ヘモグロビンおよび還元ヘモグロビンは、光の波長によって、光の吸収特性や透過特性が異なることが知られている。酸化ヘモグロビンは赤色光の吸収が減少し、赤外光の吸収が増加する。一方、還元ヘモグロビンは赤色光の吸収が増加し、赤外光の吸収が減少するという、光学的性質を有している。
【０００５】
上記脈拍測定器は、血管内の血液中に含まれているヘモグロビンの増減量を、照射された光の吸光特性の変化から検出して、脈拍を測定するものである。また、上記酸素飽和度測定器は、酸化ヘモグロビンと還元ヘモグロビンにおける吸光特性の違いを利用したものである。この酸素飽和度測定器では、異なる２種類の波長の光を身体に照射して、身体内部の血管において透過または反射した光を受光部で検出する。この受光部において、透過または反射されてきた２種類の異なる波長の光量を測定し、酸化ヘモグロビンと還元ヘモグロビンの割合を求めるものである。
【０００６】
上記脈拍測定器や酸素飽和度測定器の多くは、発光部に発光ダイオード、受光部にフォトダイオードが用いられている。
【０００７】
汎用されている脈拍測定器や酸素飽和度測定器などの従来の光検出器には、例えば特許文献１に開示されているようなクリップ型のものと、特許文献２に開示されているような生体に貼り付けられる使い捨て型のものとがある。
【０００８】
クリップ型の光検出器は、挟持部材に検出用の発光素子と受光素子とが搭載されたものであり、指先などの生体検出部分をプローブで挟み込んで検出を行なうものである。このクリップ型の光検出器は、単に指先を挟むものであるため、容易に測定することができるものの、身体に常時装着することは困難であり、一時的な測定に用いられている。
【０００９】
一方、生体に貼り付けられる使い捨て型の光検出器は、粘着部を用いて、光検出器の発光部および受光部を指や足、その他の身体（生体）の測定部位に添わせて包皮固定させる。この生体に対する包皮固定により、多少の身体の動きがあってもずれることがなく、長時間装着することが可能となる。
【特許文献１】特開平８−１０３４３５号公報
【特許文献２】特開２００５−１１０８１６号公報
【発明の開示】
【発明が解決しようとする課題】
【００１０】
しかしながら、上記従来の使い捨て型の光検出器には、以下のような問題がある。
【００１１】
即ち、使い捨て型の光検出器は、身体（生体）上に直接接着部が貼り付けられるため、一度使用されると、粘着性が大幅に低減して、再度利用することができない。また、発光素子や受光素子など、各種構成部品は光検出器内に内包されており、それらを容易に取り外すことができない。よって、一度の利用で、これらの部材が全て廃棄されることから、コストが高く、また、砒素やその他の有害物質が含まれる発光素子や受光素子を他の部材とまとめて廃棄することは、環境面からも大いに好ましくない。
【００１２】
本発明は、上記従来の問題を解決するもので、発光素子および受光素子を検出器本体から容易に分別することが可能で、廃棄する際に有害物質を含む発光素子および受光素子を取り除いて、分別廃棄や発光素子および受光素子の再利用を図ることができて環境にもやさしい使い捨て型の光検出器およびこれを用いた非侵襲型光学的生体センサを提供することを目的とする。
【課題を解決するための手段】
【００１３】
本発明の使い捨て型の光検出器は、生体に対して光を照射する発光部と、該生体において透過または反射した光を電気信号に変換する受光部と、該受光部からの信号を検出する信号検出部とを有し、該生体に貼り付けられて使用される使い捨て型の光検出器において、  該信号検出部が設けられた検出器本体部から該発光部および該受光部を取り外し可能な取り外し構造を有しているものであり、そのことにより上記目的が達成される。
【００１４】
また、好ましくは、本発明の使い捨て型の光検出器における取り外し構造として、前記発光部および前記受光部を収容する周辺部材が、該発光部および該受光部と前記検出器本体部とを切り離すべく、金属材料に比べて切断容易な材料からなっている。
【００１５】
さらに、好ましくは、本発明の使い捨て型の光検出器における周辺部材がバンテージ材料またはプラスチック材料からなっている。
【００１６】
さらに、好ましくは、本発明の使い捨て型の光検出器における取り外し構造として、前記発光部および前記受光部を収容する周辺部材において、該発光部および該受光部と前記検出器本体部間に、切断用切り込み部および切断用穴の少なくとも一方が設けられている。
【００１７】
さらに、好ましくは、本発明の使い捨て型の光検出器において、前記発光部および前記受光部と前記検出器本体部間は、該検出器本体から取り外される該発光部および該受光部を含む部分に比べて幅狭に構成されている。
【００１８】
さらに、好ましくは、本発明の使い捨て型の光検出器において、前記発光部に発光用電流を供給する配線および前記受光部からの信号を前記信号検出部に伝える配線がフレキシブル基板またはプリント基板に形成されている。
【００１９】
さらに、好ましくは、本発明の使い捨て型の光検出器において、前記発光部と、前記受光部と、前記フレキシブル基板または前記プリント基板とが、生体に貼り付け可能とする粘着層と外部層とによって内包されている。
【００２０】
さらに、好ましくは、本発明の使い捨て型の光検出器における外部層に、前記発光部および前記受光部を前記検出器本体から切り離す際に、該外部層の引き上げ動作用のつまみ部が突出して設けられている。
【００２１】
さらに、好ましくは、本発明の使い捨て型の光検出器において、前記発光部および前記受光部が前記検出器本体から取り外される部分では、前記粘着層は、前記発光部、前記受光部および前記フレキシブル基板または前記プリント基板に接着されていない。
【００２２】
さらに、好ましくは、本発明の使い捨て型の光検出器において、前記発光部および前記受光部の各電極と前記配線とが接続部を介して接続されている。
【００２３】
さらに、好ましくは、本発明の使い捨て型の光検出器における接続部は、前記検出器本体から取り外される前記発光部および前記受光部側に設けられている。
【００２４】
さらに、好ましくは、本発明の使い捨て型の光検出器における取り外し構造として、前記フレキシブル基板またはプリント基板に、切断用切り込み部および切断用穴の少なくとも一方が設けられている。
【００２５】
さらに、好ましくは、本発明の使い捨て型の光検出器において、前記発光部および前記受光部はフォトインタラプタにより構成されている。
【００２６】
本発明の非侵襲型光学的生体センサは、本発明の上記使い捨て型の光検出器を用いて脈拍測定および血液の酸素飽和度測定の少なくともいずれかを行うものであり、そのことにより上記目的が達成される。
【００２７】
上記構成により、以下に、本発明の作用について説明する。
【００２８】
本発明にあっては、使い捨て型の光検出器において、発光部および受光部を含む先端部分のみを検出器本体側から取り外し可能なように取り外し構造を設けている。
【００２９】
発光素子を含む発光部および受光素子を含む受光部と、それ以外の検出器本体部とを切り離すためには、発光部や受光部と光検出器の外側部分（発光部や受光部の周辺部）との接続、および受光部や発光部と配線との接続を切断することが必要である。
【００３０】
このため、発光部および受光部の周辺部において、発光部および受光部と検出器本体部側とを切り離す切断部分に、バンテージ材料やプラスチック材料などの切断が容易な材料を用いることが好ましい。
【００３１】
さらに、この切断部分に、切断用の切り込み部や穴などを設けて、この切り込み部や穴に沿って切断部分（切断ライン）を折ったり裂くことにより、発光部や受光部とその周辺部とを容易に切り離すことが可能となる。
【００３２】
また、発光部に発光用電流を供給する配線、および受光部で得られた信号を信号検出部に伝える配線は、発光部や受光部にしっかり接続されている必要がある。よって、例えば、発光部や受光部を検出器本体部から切り離し易いように、発光部や受光部の電極を折れ易い構造とすることは、信頼性に問題が生じる。
【００３３】
そこで、発光部や受光部の電極と接続しているフレキシブル基板やプリント基板の配線部分を切断することが好ましい。
【００３４】
これにより、発光部や受光部を検出器本体部から切り離す際に、切り込みや穴に沿って裂いたり、折ったりすることにより、受光部および発光部と信号線との接続を容易に切断することが可能となる。
【００３５】
さらに、これらの配線がフレキシブル基板やプリント基板上に形成されている場合、フレキシブル基板やプリント基板に切断用の切り込み部や穴を設けて、切り込み部や穴に沿って基板を裂いたり、折ったりすることにより、受光部および発光部と信号線との接続を容易に切断することが可能となる。
【発明の効果】
【００３６】
以上により、本発明によれば、発光素子を含む発光部および受光素子を含む受光部を、それ以外の検出器本体部から取り外して、使い捨て型の光検出器の使用後に分別廃棄したり、発光素子や受光素子の再利用を図ることができる。
【００３７】
本発明では、「光検出器の再利用」とは、業者による再利用のことを言う。また、「分別廃棄」については、病院や業者で分別廃棄を行うことができるということを指している。現行の使い捨て型の光検出器では、受発光素子が本体に密着されており、業者が回収した場合にも、分別作業は非常に困難な作業となっている。この分別作業を効率的に行うことができれば、分別廃棄を効率的に行うことができる。さらに、現行の使い捨て型の光検出器の場合、利用期間は長くても１週間程度であり、発光素子や受光素子の寿命に対して非常に短い期間であるため、分別作業の一部を簡略化することができれば、発光素子や受光素子の再利用を図ることが容易になる。
【発明を実施するための最良の形態】
【００３８】
以下に、本発明の使い捨て型の光検出器の実施形態１，２について、図面を参照しながら詳細に説明する。
（実施形態１）
図１は、本発明の実施形態１に係る使い捨て型の光検出器の先端部分を示す斜視図であり、図２は図１の光検出器の先端部分の縦断面図である。
【００３９】
図１および図２において、本実施形態１の使い捨て型の光検出器２１には、受発光素子１とフレキシブル基板２を有しており、これらが、粘着層３と外部層４とによって上下に挟み込まれて内包されている。使い捨て型の光検出器２１は、受発光素子１からの信号を処理して検出する図示しない信号検出部や、受発光素子１に発光用電流を供給するための図示しない電源部が検出器本体１１側に設けられている。
【００４０】
受発光素子１は、光を生体に対して照射する図示しない発光部と、この生体において透過または反射した光を電気信号に変換する図示しない受光部とを有している。受発光素子１には、フレキシブル基板２からの配線と接続される電極端子５が設けられて接続部５ａで接続されている。
【００４１】
接続部５ａは、フレキシブル基板２からの配線とハンダ接続または圧着接続などで接続されている。
【００４２】
フレキシブル基板２には、発光部に発光用電流を供給するための配線や受光部からの信号を検出部に伝えるための配線が形成されている。
【００４３】
粘着層３は、身体と接触させて貼り付けるために粘着テープで覆われている。この粘着層３には、発光部から生体に対して照射される光や、生体において透過または反射して生体に関する情報を伝える光を透過させるために、受発光素子１の所定の前面に光透過部３ａを設けている。さらに、この粘着層３と外部層４によって受発光素子１やフレキシブル基板２が覆われて収容されている。
【００４４】
本実施形態１では、信号検出部や電源部が設けられた検出器本体２１ａから受発光素子１を取り外す（取り除く）ために、以下のような取り外し構造が用いられている。
【００４５】
粘着層３および外部層４は、金属ではなくバンテージ材料やビニール（ポリ塩化ビニール）などのプラスチック材料のように切断するのに容易な材料からなっている。これによって、受発光素子１と検出器本体２１ａとを切り離すライン状の切断部を容易に切断することができる。
【００４６】
また、受発光素子１、フレキシブル基板２、粘着層３および外部層４は、各部分によって接着の仕方が異なる。検出器本体２１ａから取り外される切り離し部６側では、外部層４と、受発光素子１、受発光素子１の電極端子５およびフレキシブル基板２とは接着されているが、これらと粘着層３とは接着されていない。上記以外の部分では、フレキシブル基板２と外部層４と粘着層３は、いずれも互いに接着されている。これにより、受発光素子１は、外部層４と粘着層３に挟まれて内包されている状態となっており、光検出器２１の内部で受発光素子１がずれることなく保持可能とされている。
【００４７】
さらに、外部層４において、検出器本体２１ａと切り離し部６とのライン状の境目には、切断用切り込み部として、図１および図２に点線で示すように、ミシン目からなる外部層４の切断部４ａが設けられており、このライン状の切り込み部（破線部分）に沿って外部層４を折って引き裂くことにより、受発光素子１とその周辺部の検出器本体２１ａとを容易に切り離すことが可能となる。このような切り込み部の代わりに、外部層４に切り欠きや穴を設けてライン状に容易に切断することができる。
【００４８】
さらに、光検出器２１（ここでは外部層４）の先端部には、一部突出したつまみ部７が設けられており、切り離し部６を検出器本体２１ａから取り外すことが容易になっている。
【００４９】
さらに、フレキシブル基板２には、切断用の切り込み部（切り欠き部）や一または複数の穴をライン状に設けて、切り込み部や一または複数の穴に沿って折り曲げたり引き裂いたりすることにより、受光部および発光部と信号線との接続をも容易に切断することができる。
【００５０】
図３は、図２のフレキシブル基板２と受発光素子１の電極端子５との接続部を示す平面図である。
【００５１】
図３において、フレキシブル基板２は、その上に設けられた複数本の配線８のうち、メタル部８ａ（図２の素子電極端子とフレキシブル基板の接着部）のみが表面に露出しており、その他の配線部分はカバー層９によってフレキシブル基板２の内部に収容されて配置されている。受発光素子１の電極端子５は、メタル部８ａにおいて、フレキシブル基板２側の各配線８とそれぞれ接続されている。
【００５２】
このフレキシブル基板２は、検出器本体２１ａから切り離されるフレキシブル基板２の切り離し部Ａと、検出器本体２１ａから切り離されないフレキシブル基板２の本体部Ｂとに分かれており、フレキシブル基板２の切り離し部Ａは図１に示す切り離し部６の一部（基板部）に対応し、フレキシブル基板２の本体部Ｂは切り離し部６以外の検出器本体２１ａの一部（基板部）に対応している。このフレキシブル基板２において、フレキシブル基板２の切断部２ａに対応する位置には、切断用の切り込み部（切り欠き部）１０ａやライン状に並んだ複数の穴１０ｂが形成されている。
【００５３】
上記構成により、この検出器本体２１ａと受発光素子１を含む切り離し部６とを分別する場合には、つまみ７を引き上げることにより、外部層４の外部層切断部４ａおよびフレキシブル基板２の切断部２ａが切断される。その結果、図４に示すように、検出器本体２１ａから受発光素子１を含んだ部分である切り離し部６を分別することができる。なお、このように、括れた部分で切り離して両者を分別するのではなく、外部層４の外部層切断部４ａに沿って、受発光素子１の周囲を囲むように環状に、検出器本体２１ａから切り離し部６を切り離して分別するようにしてもよい。
【００５４】
このように、本実施形態１の使い捨て型の光検出器２１では、切り離し部６が検出器本体２１ａから切り離された際に、フレキシブル基板２の切り離し部Ａが外部層４と接着されているため、外部層４が検出器本体２１ａから切断されるときに、フレキシブル基板２の切り離し部Ａも同時に、図２に二重線で示すフレキシブル基板２の切断部２ａにライン状に沿って切断されることにより、検出器本体２１ａと切り離し部６とが分別される。
【００５５】
さらに、切り離し部６において、受発光素子１、受発光素子１の電極端子５およびフレキシブル基板２と粘着層３とは接着されていないため、粘着層３は、受発光素子１、受発光素子１の電極端子５およびフレキシブル基板２から容易に取り除ける。
（実施形態２）
図５は、本発明の実施形態２に係る使い捨て型の光検出器の先端部分を示す縦断面図である。なお、本実施形態２の使い捨て型の光検出器の基本構成は、上述した実施形態１の使い捨て型の光検出器２１の場合と同様である。以下では、検出器本体から受発光素子部を切り離した概略図として実施形態１と同じ図１および図４を用いて、その説明の重複を避けるために相違点を重点的に説明する。
【００５６】
図５において、本実施形態２の使い捨て型の光検出器２２と、上記実施形態１の使い捨て型の光検出器２１との相違点は、上記実施形態１の発光部と受光部が別々の受発光素子１の代わりに発光ダイオードとフォトダイオードによって構成されているフォトインタラプタ１１を用いていることおよび、フレキシブル基板２の代わりにプリント基板１２を用いていることである。
【００５７】
図６は、図５のフォトインタラプタ１１の電極端子１５とプリント基板１２との接続部を示す平面図である。
【００５８】
図６において、プリント基板１２上に設けられた複数の配線１８は、それぞれに対応した電極端子接続用穴１２ａが表面に露出しており、それ以外の部分はプリント基板１２に配線されている。フォトインタラプタ１１の各電極端子１５は、プリント基板１２の各電極端子接続用穴１２ａにおいて、プリント基板１２側と電気的に接続されている。
【００５９】
プリント基板１２は、検出器本体２２ａから切り離されるプリント基板１２の切り離し部Ｃと、検出器本体２２ａから切り離されないプリント基板１２の本体部Ｄとに分かれており、プリント基板１２の切り離し部Ｃは、図３に示す切り離し部Ａに対応し、プリント基板１２の本体部Ｄは図３に示す本体部Ｂに対応している。このプリント基板１２において、プリント基板１２の切断部１２ａには、切断ラインに沿って切断用の切り込み（切り欠き）１０ｃや一または複数の穴１０ｄが切断ライン上に設けられている。
【００６０】
本実施形態２の使い捨て型の光検出器２２において、プリント基板１２は、上記実施形態１のフレキシブル基板２の場合と同様に、プリント基板１２の切り離し部Ｃが外部層４の切り離し部６およびフォトインタラプタ１１と接着している。よって、外部層４のつまみ７を引き上げることにより切り離し部６が検出器本体２２ａから切り離された際に、プリント基板１２の切り離し部Ｃが、図５に二重線で示すフレキシブル基板１２の切断部１２ａに沿って切断される。この結果、図４に示すように、検出器本体２２ａからフォトインタラプタ１１を含む切り離し部６を分別することができる。
【００６１】
以上により、上記実施形態１，２によれば、発光部および受光部のみを検出器本体２１ａまたは２２ａから取り外し可能な構造としている。このため、受発光部素子１と検出器本体とが切り離される切断部にバンテージ材料やプラスチック材料などの切断が容易な材料を用いて、切断部２ａまたは１２ａとして切断ライン上に切り込みや一または複数の穴などを設ける。その切り込みや穴に沿った切断ラインを折ったり引き裂くことにより、発光部や受光部およびその周辺部を検出器本体２１ａまたは２２ａから容易に切り離すことができる。さらに、フレキシブル基板２やプリント基板１２に切断部として切り込みや穴を設けて、切り込みや穴に沿って裂いたり、折ったりすることにより、受光部および発光部と配線との接続を容易に切断することができる。これによって、廃棄する際に有害物質を含む発光素子や受光素子を検出器本体２１ａまたは２２ａから分離して、分別廃棄や素子の再利用ができる使い捨て型の光検出器２１または２２を得ることができる。
【００６２】
なお、上記実施形態１，２では、特に説明しなかったが、発光部や受光部を検出器本体２１ａまたは２２ａから分別できる本実施形態１，２の使い捨て型の光検出器２１または２２を用いて脈拍測定および血液の酸素飽和度測定の少なくともいずれかを行う非侵襲型光学的生体センサを構成することができる。この場合、脈拍測定器では、血管内の血液中に含まれているヘモグロビンの増減量を、照射された光の吸光特性の変化から検出して、脈拍を測定し、酸素飽和度測定器では、異なる２種類の波長の光を身体に照射して、身体内部の血管において透過または反射しきた２種類の異なる波長の光量を受光部で測定し、酸化ヘモグロビンと還元ヘモグロビンの割合を求める。
【００６３】
以上のように、本発明の好ましい実施形態１，２を用いて本発明を例示してきたが、本発明は、この実施形態１，２に限定して解釈されるべきものではない。本発明は、特許請求の範囲によってのみその範囲が解釈されるべきであることが理解される。当業者は、本発明の具体的な好ましい実施形態１，２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６４】
本発明は、身体（生体）に貼り付けられて使用される使い捨て型の光検出器および、これを用いて脈拍測定および血液の酸素飽和度測定の少なくともいずれかを行う非侵襲型光学的生体センサの分野において、発光素子を含む発光部および受光素子を含む受光部を、それ以外の検出器本体部から取り外して、使い捨て型の光検出器の使用後に分別廃棄したり、発光素子や受光素子の再利用を図ることができる。
【図面の簡単な説明】
【００６５】
【図１】本発明の実施形態１に係る使い捨て型の光検出器の先端部分を示す斜視図である。
【図２】図１の使い捨て型の光検出器の先端部分を示す縦断面図である。
【図３】図２のフレキシブル基板と受発光素子の電極端子との接続部を示す平面図である。
【図４】図１の使い捨て型の光検出器において、検出器本体から受発光素子部分を切り離した状態を示す受発光素子部分の斜視図である。
【図５】本発明の実施形態２に係る使い捨て型の光検出器の先端部分を示す縦断面図である。
【図６】図５のプリント基板とフォトインタラプタの電極端子との接続部を示す平面図である。
【符号の説明】
【００６６】
１  受発光素子
２  フレキシブル基板
２ａ  フレキシブル基板の切断部
３  粘着層
３ａ  光透過層
４  外部層
４ａ  外部層切断部
５  素子の電極端子
５ａ  素子の電極端子とフレキシブル基板との接続部
６  切り離し部
７  つまみ部
８  フレキシブル基板の配線
８ａ  フレキシブル基板のメタル層
９  カバー層
１０ａ  フレキシブル基板の切断用切り込み部（切り欠き部）
１０ｂ  フレキシブル基板の切断用穴
１０ｃ  プリント基板の切断用切り込み部（切り欠き部）
１０ｄ  プリント基板の切断用穴
１１  フォトインタラプタ
１２  プリント基板
１２ａ  プリント基板の切断部
１２ｂ  電極端子接続用穴
１５  フォトインタラプタの電極端子
２１ａ，２２ａ  検出器本体
Ａ  フレキシブル基板の切り離し部
Ｂ  フレキシブル基板の本体部
Ｃ  プリント基板の切り離し部
Ｄ  プリント基板の本体部
【図１】
2007195816.tif 000003
【図２】
2007195816.tif 000004
【図３】
2007195816.tif 000005
【図４】
2007195816.tif 000006
【図５】
2007195816.tif 000007
【図６】
2007195816.tif 000008